(57)【要約】      （修正有）【課題】リップオイルの定量押し出しが可能で必要量の制御が容易で染みだしを防止した、押圧式リップカラーペンの提供。【解決手段】バレル、キャップ及び後部キャップで組成され、バレル内にリップオイルが充填され、バレル内にスクリューが設けられ、該スクリューの前端にソフトプランジャが設けられ、スクリューの側縁に複数の環状溝が設けられ、並びに押し上げスリーブ、位置決めバネ及び推進バネ中に挿入され、該推進バネと位置決めバネの間に小バネが設けられ、後部キャップは該押し上げスリーブ後部に嵌合され、該後部キャップ前部の外周に大バネが嵌合され、該大バネの外周に伸縮ソフトチューブが嵌合され、後部キャップを押圧する過程で、推進バネと位置決めバネが前後移動を発生して後方の環状溝と係合し、スクリューがソフトプランジャを前に押して固定距離進出させ、定量のリップオイルを押し出し、必要量の制御が容易で染みだしを防止でき、使用及び携帯上のいずれも便利とされている。【選択図】図１
0003104514.tif 000002
【実用新案登録請求の範囲】
【請求項１】
バレル、キャップ、後部キャップで組成され、該バレルの前端にリップカラーヘッドが設けられ、該キャップはバレル前端外周に嵌合される、押圧式リップカラーペンにおいて、
該バレルの後部の内周に複数のリブが環状に設けられ、該リブの後方の距離をおいた部分に凹溝が環状に設けられ、該バレル内にソフトプランジャが設けられ、該ソフトプランジャとリップカラーヘッドの間にリップオイルが充填され、該ソフトプランジャの中央に後方に延伸されたスクリューが挿入され、
該スクリューに等距離に配置された複数の横向きの環状溝が設けられ、該スクリューは位置決めバネ及び推進バネ中に挿入され、且つ位置決めバネと推進バネの間に小バネが設けられ、
該位置決めバネ及び推進バネは金属片状環の内周に等距離に分布する三片の内向きに延伸された三角形の内歯を具え、該内歯はスクリューの前端に向けて上に隆起し、且つその尖端部が環状溝中に嵌入し、該位置決めバネは固定リング中に嵌め込まれ、該推進バネは押し上げスリーブの上部に設置され、
該固定リングの外周はバレル後部のリブと嵌合し、且つその後端側縁に二つの凸塊が凸設され、
該押し上げスリーブの上端に冠状部が設けられ、該冠状部の直径は押し上げスリーブよりやや大きく、その外周に移動切欠き及びロック切欠きが設けられ、該移動切欠き及びロック切欠きの位置は固定リングの凸塊に対応し、該移動切欠きの深さは凸塊の高さとの間に距離を有し、ロック切欠きの深さは凸塊の高さより小さく、また、該押し上げスリーブの後端外周に複数の縦のリブが設けられ、該押し上げスリーブの後端は一つのスリーブ内に挿入され、
該スリーブはバレルの後部に挿入され、その上端は固定リングの底端と接触し、並びに該固定リングの凸塊を内側に被包し、該スリーブの中部内周に環状に凸垣が設けられ、該凸垣は冠状部底面外周に対応し、また該スリーブの後端外周に凹溝と対応する凸環が設けられ、
該後部キャップの前部はスリーブ内に挿入され、それはまた押し上げスリーブの外周に嵌合され、該後部キャップの内側にリブと対応する凹溝が設けられ、また後部キャップの前部外周に大バネが嵌合され、該大バネの外周に伸縮ソフトチューブが嵌合されたことを特徴とする、押圧式リップカラーペン。
【考案の詳細な説明】
【技術分野】
【０００１】
本考案は一種の押圧式リップカラーペンに係り、特に、リップオイルを定量圧出でき、必要量の制御が容易で漏れを防止できる押圧式リップカラーペンに関する。
【背景技術】
【０００２】
現在、一般女性は魅力を表現するために化粧を行ない、唇はなかでも重要であり、鮮やかに口紅で色付けすることにより人の眼を楽しませることができる。一般に唇の化粧に使用される口紅にはペースト状のものとリップカラーがあり、そのうち、リップカラー即ちリップオイルが次第に主流になっており、それは唇をオイリーに輝かせてふっくら且つしっとりとした外観を与えるもので、ペースト状の口紅のマットな効果とは異なり、唇を保水状態に保持し、人をひきつける魅力を倍増する。リップカラーは時代の流行であり、携帯しやすく、使用しやすく、ゆえに女性は一旦リップカラーを塗ると、落としたくない感覚にとらわれる。
【０００３】
現在販売されているリップカラーには盤状式、バー状、長缶状の付着取り出し式、及びペン状のもの等、各種のものがある。そのうちペン状のリップカラーはリップカラーペンと称され、唇形を描くのに便利であり、これによりリップカラーペンの使用者は徐々に増加しつつある。
【０００４】
周知のリップカラーペンはバレル中にリップオイル（図６参照）が充填され、バレル１の前端にリップカラーヘッド１１が設けられ、該リップカラーヘッド１１がスポンジ或いはフェルトで被覆され、リップオイルはこの部分に吸着され、さらにリップカラーヘッド１１で唇部と接触し、リップオイルを唇に塗ることができる。周知のリップカラーペンのリップオイルをリップカラーヘッド１１に押し出す方式はいずれも回転推進式とされ、それはバレル１中にソフトプランジャ２が設けられ、該ソフトプランジャ２の後端に後方に延伸されたスクリュー３ａが設けられ、該スクリュー３ａの側縁にネジ山が設けられ、該スクリュー３ａ外周にそれに対応するナット８０が螺合され、該ナット８０はバレル１内の定位に設置され、並びにこの定位で径方向に回転可能とされ、該ナット８０の後端に回転スリーブ８１が接続されている。回転スリーブ８１が回される時、ナット８０もこれに伴い回転し、該ナット８０の位置はバレルに制限されて現地回転するため、スクリュー３ａの移動を形成し、該スクリュー３ａがバレル１前端に向けて移動すると共に、ソフトプランジャ２を駆動し前進させ、リップオイルをリップカラーヘッド１１より押しださせる。
【０００５】
上述のリップオイル回転推進の方式は、リップオイルの送出量の制御が難しく、回転の角度或いは回数が多過ぎると、リップオイルが大量にリップカラーヘッドより流出し、且つ一般に女性はリップカラーペンを鞄中に入れて携帯するが、リップオイルが流出して他の物品についてしまうことがある。このほか、回転の角度或いは回数が不足するとリップオイルの送出量が少な過ぎ、リップオイルを唇に塗る時に均一に被覆できなくなり、その化粧の効果が失われ、使用者に相当に大きなトラブルをもたらした。
【考案の開示】
【考案が解決しようとする課題】
【０００６】
本考案はリップオイルの定量押し出しが可能で必要量の制御が容易で染みだしを防止したリップカラーペンを提供することを目的としている。
【課題を解決するための手段】
【０００７】
請求項１の考案は、バレル、キャップ、後部キャップで組成され、該バレルの前端にリップカラーヘッドが設けられ、該キャップはバレル前端外周に嵌合される、押圧式リップカラーペンにおいて、
該バレルの後部の内周に複数のリブが環状に設けられ、該リブの後方の距離をおいた部分に凹溝が環状に設けられ、該バレル内にソフトプランジャが設けられ、該ソフトプランジャとリップカラーヘッドの間にリップオイルが充填され、該ソフトプランジャの中央に後方に延伸されたスクリューが挿入され、
該スクリューに等距離に配置された複数の横向きの環状溝が設けられ、該スクリューは位置決めバネ及び推進バネ中に挿入され、且つ位置決めバネと推進バネの間に小バネが設けられ、
該位置決めバネ及び推進バネは金属片状環の内周に等距離に分布する三片の内向きに延伸された三角形の内歯を具え、該内歯はスクリューの前端に向けて上に隆起し、且つその尖端部が環状溝中に嵌入し、該位置決めバネは固定リング中に嵌め込まれ、該推進バネは押し上げスリーブの上部に設置され、
該固定リングの外周はバレル後部のリブと嵌合し、且つその後端側縁に二つの凸塊が凸設され、
該押し上げスリーブの上端に冠状部が設けられ、該冠状部の直径は押し上げスリーブよりやや大きく、その外周に移動切欠き及びロック切欠きが設けられ、該移動切欠き及びロック切欠きの位置は固定リングの凸塊に対応し、該移動切欠きの深さは凸塊の高さとの間に距離を有し、ロック切欠きの深さは凸塊の高さより小さく、また、該押し上げスリーブの後端外周に複数の縦のリブが設けられ、該押し上げスリーブの後端は一つのスリーブ内に挿入され、
該スリーブはバレルの後部に挿入され、その上端は固定リングの底端と接触し、並びに該固定リングの凸塊を内側に被包し、該スリーブの中部内周に環状に凸垣が設けられ、該凸垣は冠状部底面外周に対応し、また該スリーブの後端外周に凹溝と対応する凸環が設けられ、
該後部キャップの前部はスリーブ内に挿入され、それはまた押し上げスリーブの外周に嵌合され、該後部キャップの内側にリブと対応する凹溝が設けられ、また後部キャップの前部外周に大バネが嵌合され、該大バネの外周に伸縮ソフトチューブが嵌合されたことを特徴とする、押圧式リップカラーペンとしている。
【考案の効果】
【０００８】
総合すると、本考案の押圧式リップカラーペンは、押圧式で定量のリップオイルを送り出す目的を達成し、且つ使用が容易で便利であり、並びにロック機能を具えている。ゆえに本考案は実用性と進歩性を具えている。
【考案を実施するための最良の形態】
【０００９】
本考案の押圧式リップカラーペンは、バレル、キャップ及びバレル後端に位置する後部キャップで組成されている。本考案の特徴は以下のとおりである。即ち、バレル内にスクリューが設けられ、該スクリューの前端にソフトプランジャが設けられ、スクリューの側縁に等間隔に配列された複数の横向きの環状溝が設けられ、並びにバレル後部の位置決めバネ中に挿入され、別に押し上げスリーブがバレル後端より挿入され、該押し上げスリーブの前端に推進バネが設けられ、該推進バネと位置決めバネの間に小バネが設けられ、並びに後部キャップが該押し上げスリーブの後部に嵌合され、該後部キャップの前部に大バネが設けられ、該大バネの外周に伸縮ソフトチューブが嵌合されている。
【００１０】
以上の構造により、後部キャップを押圧する過程で、推進バネと位置決めバネが前後移動を発生して後方の環状溝と係合し、スクリューがソフトプランジャを前に押して固定距離進出させ、定量のリップオイルを押し出し、必要量の制御が容易で染みだしを防止でき、使用及び携帯上のいずれも便利とされている。
【実施例１】
【００１１】
図１、２、３に示されるように、本考案の押圧式リップカラーペンは、バレル１、キャップ１０、後部キャップ７で組成されている。該バレル１の前端にリップカラーヘッド１１が設けられ、該キャップ１０はバレル１前端外周に嵌合されている。本考案の特徴は以下のとおりである。
【００１２】
該バレル１の後部の内周に複数のリブ１２が環状に設けられ、該リブ１２の後方の適当な距離部分に凹溝１３が環状に設けられ、該バレル１内にソフトプランジャ２が設けられ、該ソフトプランジャ２とリップカラーヘッド１１の間にリップオイルが充填され、該ソフトプランジャ２の中央に後方に延伸されたスクリュー３が挿入されている。
【００１３】
該スクリュー３に等距離に配置された複数の横向きの環状溝３１が設けられ、該スクリュー３は位置決めバネ４２及び推進バネ５２中に挿入され、且つ位置決めバネ４２と推進バネ５２の間に小バネ３２が設けられている。
【００１４】
該位置決めバネ４２及び推進バネ５２は金属片状環４２１、５２１の内周において等距離に分布する三片の内向きに延伸された三角形の内歯４２２、５２２を具え、該内歯４２２、５２２はスクリュー３の前端に向けて上に隆起し、且つその尖端部が環状溝３１中に嵌入し、該位置決めバネ４２は固定リング４中に嵌め込まれ、該推進バネ５２は押し上げスリーブ５の上部に設置される。
【００１５】
該固定リング４の外周はバレル１後部のリブ１２と嵌合し、且つその後端側縁に二つの凸塊４１が凸設されている。
【００１６】
該押し上げスリーブ５の上端に冠状部５１が設けられ、該冠状部５１の直径は押し上げスリーブ５よりやや大きく、その外周に移動切欠き５１１及びロック切欠き５１２が設けられ、該移動切欠き５１１及びロック切欠き５１２の位置は固定リング４の凸塊４１に対応し、該移動切欠き５１１の深さは凸塊４１の高さと適宜距離を有し、ロック切欠き５１２の深さは凸塊４１の高さより小さく、また、該押し上げスリーブ５の後端外周に複数のリブ５３が縦に設けられ、該押し上げスリーブ５の後端は一つのスリーブ６内に挿入されている。
【００１７】
該スリーブ６はバレル１の後部に挿入され、その上端は固定リング４の底端と接触し、並びに該固定リング４の凸塊４１を内側に被包し、該スリーブ６の中部内周に環状に凸垣６１が設けられ、該凸垣６１は冠状部５１底面外周に対応し、また該スリーブ６の後端外周に凹溝１３と対応する凸環６２が設けられている。
【００１８】
該後部キャップ７の前部はスリーブ６内に挿入され、それはまた押し上げスリーブ５の外周に嵌合され、該後部キャップ７の内側にリブ５３と対応する凹溝７１が設けられ、また後部キャップ７の前部外周に大バネ７２が嵌合され、該大バネ７２の外周に伸縮ソフトチューブ７３が嵌合される。
【００１９】
以上の構造により、本考案の押圧式リップカラーペンは、使用時に、リップオイルをリップカラーヘッド１１より送出するのに（図４）、ただ後部キャップ７を押圧すればよい。後部キャップ７が押圧されると、その大バネ７２と伸縮ソフトチューブ７３が後部キャップ７によりバレル１に向けて圧縮され、同時に押し上げスリーブ５とその上部の推進バネ５２が前端に向けて駆動され、冠状部５１の上面が固定リング４に至って停止する。該推進バネ５２が前進する時、その内歯はスクリュー３の前端に向けて上に隆起し、これによりその尖端部が緊密に環状溝３１中に係合し、スクリュー３を駆動して前進させ、該スクリュー３の前進の過程で、位置決めバネ４２の内歯もスクリュー３の前端に向けて隆起し、その隆起の方向がスクリュー３の前進方向と同じで、該スクリュー３が前進する時、その内歯が不断に前の環状溝３１より離脱して次の環状溝３１に進入し、ゆえにスクリュー３の前進を妨げることがなく、スクリュー３によりソフトプランジャ２を前進させることができ、これによりリップオイルを定量の方式でリップカラーヘッド１１より押し出すことができる。
【００２０】
さらに、使用者が押圧力を開放すると、該小バネ３２が推進バネ５２と押し上げスリーブ５を後ろに押し戻し、該押し上げスリーブ５が押されてその冠状部５１の底面が凸垣６１に突き当たり停止し、該大バネ７２も後部キャップ７を後ろに押し、且つ伸縮ソフトチューブ７３をもとの長さに回復させる。該位置決めバネ４２はスクリュー３の環状溝３１中に係合してソフトプランジャ２がリップオイルの圧力を受けて後退するのを防止し、ソフトプランジャ２を定位に維持する。該推進バネ５２は小バネ３２により後ろに押される時、その内歯の隆起方向と運動方向が反対であり、ゆえにその尖端部が移動の距離上の環状溝３１と嵌合しては離脱し、これにより推進バネ５２及び押し上げスリーブ５が順調に後方に移動しもとの位置に回復する。毎回押圧と釈放すると、ソフトプランジャがある固定距離を前進し、リップオイルを定量送出し、使用と定量制御に便利である。
【００２１】
図５に示されるように、本考案の押圧式リップカラーペンは不使用時に、後部キャップ７を逆時計まわりに回して定点に至らせると、該後部キャップ７の凹溝７１がリブ５３により押し上げスリーブ５を同じ角度回転させて、その冠状部５１のロック切欠き５１２を固定リング４の凸塊４１と同一軸線上となし、且つ凸塊４１を内部に被包する。該ロック切欠き５１２の深さは凸塊４１の高さより小さく、このため該凸塊４１はロック切欠き５１２の底端に当接して押し上げスリーブ５を押圧不能とし、ロック装置の機能を達成し、不注意から後部キャップ７を押圧してリップオイルが漏れだすのを防止する。
【図面の簡単な説明】
【００２２】
【図１】本考案の立体分解図である。
【図２】本考案の組合せ後の立体図である。
【図３】本考案の断面図である。
【図４】本考案の押圧表示図である。
【図５】本考案のロック機能表示図である。
【図６】周知のリップカラーペンの立体図である。
【符号の説明】
【００２３】
１  バレル                  ２  ソフトプランジャ
３、３ａ  スクリュー        ４  固定リング
５  押し上げスリーブ        ６  スリーブ
７  後部キャップ            １０  キャップ
１１  リップカラーヘッド    １２  リブ
１３  凹溝                  ３１  環状溝
３２  小バネ                ４１  凸塊
４２  位置決めバネ          ５１  冠状部
５２  推進バネ              ５３  リブ
６１  凸垣                  ６２  凸環
７１  凹溝                  ７２  大バネ
７３  伸縮ソフトチューブ    ８０  ナット
８１  回転スリーブ
４２１、５２１  金属片状環
４２２、５２２  内歯
【図１】
0003104514.tif 000003
【図２】
0003104514.tif 000004
【図３】
0003104514.tif 000005
【図４】
0003104514.tif 000006
【図５】
0003104514.tif 000007
【図６】
0003104514.tif 000008